(57)【特許請求の範囲】
【請求項１】
コンテンツ信号と該コンテンツ信号をトラック毎に管理する付加情報を記録した記録媒体を用い、
前記記録媒体の付加情報に前記コンテンツ信号をトラック単位でグループ化するグループ管理情報が含まれている場合、
前記記録媒体に記録されたコンテンツ信号の再生では、
指定されたグループのグループ内番号順に楽曲の再生を行う通常再生モードと、
指定されたグループ内での再生順序をトラック単位で切り換え可能とするプログラム再生動作モードとを設け、
指定されたグループにトラックが登録されているか否かを判別し、指定されたグループにトラックが登録されている場合、該グループを選択して、選択されているモードで楽曲の再生を行い、指定されたグループにトラックが登録されていない場合、前記通常再生モードが選択されているとき、トラックが登録されている他のグループを選択して、前記通常再生モードで楽曲の再生を行い、前記プログラム再生動作モードが選択されているとき、グループの再指定を受け付けることを特徴とする信号再生方法。
【請求項２】
前記指定されたグループにトラックが登録されていない場合に、トラックが登録されている他のグループを選択したとき、前記記録媒体に記録されている種々の情報を表示する表示部に他のグループを選択した旨を表示することを特徴とする請求項１に記載の信号再生方法。
【請求項３】
コンテンツ信号と該コンテンツ信号をトラック毎に管理する付加情報を記録した記録媒体の再生を行う再生手段と、
情報保持手段と、
前記再生手段と前記情報保持手段を制御する動作制御手段とを有し、
前記動作制御手段では、前記再生手段によって前記記録媒体から前記付加情報を読み出して前記情報保持手段に保持させると共に、前記情報保持手段に保持した付加情報に前記記録されたコンテンツ信号をトラック単位でグループ化するグループ管理情報が含まれていると判別した場合、前記記録媒体に記録されたコンテンツ信号の再生として、
指定されたグループのグループ内番号順に楽曲の再生を行う通常再生モードと、
指定されたグループ内での再生順序をトラック単位で切り換え可能とするプログラム再生動作モードとを設け、
指定されたグループにトラックが登録されているか否かを判別し、指定されたグループにトラックが登録されている場合、該グループを選択して、選択されているモードで楽曲の再生を行い、指定されたグループにトラックが登録されていない場合、前記通常再生モードが選択されているとき、トラックが登録されている他のグループを選択して、前記通常再生モードで楽曲の再生を行い、前記プログラム再生動作モードが選択されているとき、グループの再指定を受け付けることを特徴とする信号再生装置。
【発明の詳細な説明】
【０００１】
【発明の属する技術分野】
この発明は信号再生方法及び信号再生装置に関する。詳しくは、コンテンツ信号とこのコンテンツ信号をトラック毎に管理する付加情報を記録した記録媒体を用い、この付加情報にコンテンツ信号をトラック単位でグループ化するグループ管理情報が含まれている場合、記録媒体に記録されたコンテンツ信号の再生として、指定されたグループ内での再生順序をトラック単位で切り換え可能とするプログラム再生動作モードを設けるものである。
【０００２】
【従来の技術】
従来の信号再生装置では、楽曲等のオーディオコンテンツのコンテンツ信号だけでなく、所望のコンテンツ信号を容易に再生するための付加情報を記録した記録媒体の再生が行われている。例えばランダムアクセスが可能な記録媒体であるミニディスクを用いたミニディスク装置では、楽曲等の信号がトラック番号（曲番）単位で記録されたミニディスクから付加情報を読み出して、この付加情報を利用してコンテンツ信号の再生が行われている。
【０００３】
付加情報は、記録媒体のタイトルや記録された楽曲の曲名、トラック毎の信号記録位置等を示すものとされおり、例えば所望の曲名のトラック番号を指定することにより、このトラック番号に関係付けられた記録位置から信号が読み出されて、所望の曲名の楽曲を簡単に再生することができる。
【０００４】
また、記録媒体や信号再生装置では、高密度記録や記録する信号の高圧縮化等がはかられており、１つの記録媒体に多くの楽曲の信号等を記録すると共に、この信号を信号再生装置で正しく読み出して再生できるようになされている。例えば上述のミニディスク装置では、記録する信号の圧縮率と高めて多くの楽曲の信号を記録できる「ＭＤＬＰ」規格に対応した装置が実用化されている。
【０００５】
ここで、１つの記録媒体に多くの楽曲を記録したときには、識別情報の数も多くなることから、いずれの識別情報を選択すれば所望の楽曲を再生できるか簡単に判別することができなくなってしまう。このため、記録された楽曲のグループ化を図り、選択したグループの中から識別情報を指定することにより、識別情報の数が多くなっても、容易に所望のコンテンツの信号を再生可能とする提案がなされている。
【０００６】
【発明が解決しようとする課題】
ところで、識別情報のグループ化を図ったときには、どのようなグループ化が行われているかを示すグループ管理情報も識別情報と共に記録媒体に記録される。このため、識別情報は記録されているがグループ管理情報は記録されていない従来の記録媒体と、識別情報とグループ管理情報が記録されている記録媒体とが併存することになり、両方の記録媒体を用いて信号の再生を行うことができる信号再生装置では、記録媒体に応じた動作を行えるようにすることが望ましい。
【０００７】
そこで、この発明では、記録媒体にグループ管理情報が記録されているときには、このグループ管理情報が記録された記録媒体に応じた再生動作を行うことができる信号再生方法及び信号再生装置を提供するものである。
【０００８】
【課題を解決するための手段】
この発明に係る信号再生方法は、コンテンツ信号と該コンテンツ信号をトラック毎に管理する付加情報を記録した記録媒体を用い、前記記録媒体の付加情報に前記コンテンツ信号をトラック単位でグループ化するグループ管理情報が含まれている場合、前記記録媒体に記録されたコンテンツ信号の再生として、指定されたグループのグループ内番号順に楽曲の再生を行う通常再生モードと、指定されたグループ内での再生順序をトラック単位で切り換え可能とするプログラム再生動作モードとを設け、指定されたグループにトラックが登録されているか否かを判別し、指定されたグループにトラックが登録されている場合、該グループを選択して、選択されているモードで楽曲の再生を行い、指定されたグループにトラックが登録されていない場合、前記通常再生モードが選択されているとき、トラックが登録されている他のグループを選択して、前記通常再生モードで楽曲の再生を行い、前記プログラム再生動作モードが選択されているとき、グループの再指定を受け付けるものである。
【０００９】
また信号再生装置は、コンテンツ信号と該コンテンツ信号をトラック毎に管理する付加情報を記録した記録媒体の再生を行う再生手段と、情報保持手段と、再生手段と情報保持手段を制御する動作制御手段とを有し、動作制御手段では、再生手段によって記録媒体から付加情報を読み出して情報保持手段に保持させると共に、情報保持手段に保持した付加情報に記録されたコンテンツ信号をトラック単位でグループ化するグループ管理情報が含まれていると判別した場合、記録媒体に記録されたコンテンツ信号の再生として、指定されたグループのグループ内番号順に楽曲の再生を行う通常再生モードと、指定されたグループ内での再生順序をトラック単位で切り換え可能とするプログラム再生動作モードとを設け、指定されたグループにトラックが登録されている場合、該グループを選択して、選択されているモードで楽曲の再生を行い、指定されたグループにトラックが登録されていない場合、前記通常再生モードが選択されているとき、トラックが登録されている他のグループを選択して、前記通常再生モードで楽曲の再生を行い、前記プログラム再生動作モードが選択されているとき、グループの再指定を受け付けるものである。
【００１０】
この発明においては、例えば楽曲の信号と付加情報が記録されたミニディスクを用いると共に、記録されている楽曲をグループ化して管理するためのグループ管理情報が付加情報に含まれている場合、ミニディスクに記録された楽曲の再生として、指定されたグループ内での再生順序を曲単位で切り換え可能とするプログラム再生動作モードが設けられる。
【００１１】
【発明の実施の形態】
次に、この発明について図を用いて詳細に説明する。なお、以下の説明は、信号再生装置としてミニディスク装置を用いるものとし、ミニディスクに記録されたコンテンツ信号である楽曲の信号を再生する場合を示している。
【００１２】
図１は、ミニディスク装置の構成を示している。ミニディスク装置に装着されたミニディスク１００はスピンドルモータ部２１によって回転駆動される。このミニディスク１００の一つの面（図においては上面）側には記録用の磁気ヘッド２２が配され、下面側であるレーザ光照射面側には光ピックアップ部２３が配されて、記録する信号に基づいて変調された磁界が磁気ヘッド２２によって加えられる位置にレーザ光を照射することができるようになされている。
【００１３】
光ピックアップ部２３では、後述するサーボ制御部２５からのレーザ制御信号ＣＰに基づいて所定パワーのレーザ光をミニディスク１００に照射すると共に、ミニディスク１００からの反射光に基づき読出信号ＲＳを生成してＲＦアンプ部２４に供給する。ＲＦアンプ部２４では、光ピックアップ部２３から供給された読出信号ＲＳからディジタルの読出データ信号ＲＥを生成して信号処理部３０に供給する。また、ＲＦアンプ部２４では、読出信号ＲＳに基づいてフォーカス誤差信号ＦＥやトラッキング誤差信号ＴＥを生成して、サーボ制御部２５に供給する。さらに、ミニディスク１００に予め形成されているプリグルーブのウォーブルを読み取った信号であるウォーブル信号ＲＢを生成してデコーダ部２８に供給する。
【００１４】
サーボ制御部２５では、ＲＦアンプ部２４から供給されたフォーカス誤差信号ＦＥやトラッキング誤差信号ＴＥに基づき、光ピックアップ部２３の対物レンズ（図示せず）の位置を調整するためのフォーカス制御信号ＦＣやトラッキング制御信号ＴＣを生成して、ドライバ２６に供給する。
【００１５】
ドライバ２６では、フォーカス制御信号ＦＣに基づいてフォーカス駆動信号ＦＤを生成すると共に、トラッキング制御信号ＴＣに基づいてトラッキング駆動信号ＴＤを生成する。このフォーカス駆動信号ＦＤ及びトラッキング駆動信号ＴＤを、光ピックアップ部２３のアクチュエータ（図示せず）に供給して対物レンズの位置を調整することにより、レーザ光がミニディスク１００のレーザ光照射面側の所望位置で焦点を結ぶように制御される。
【００１６】
また、サーボ制御部２５では、スレッド信号ＳSLを生成してスレッドモータ部２７に供給し、レーザ光の照射位置がトラッキング制御範囲を超えないように、このスレッドモータ部２７によって光ピックアップ部２３をミニディスク１００の径方向に移動させる。
【００１７】
デコーダ部２８では、ウォーブル信号ＲＢの帯域制限を行ってウォーブル成分を取り出すと共に二値化して、さらに復調処理を行いアドレス情報信号ＤADを生成して動作制御部４０に供給する。また、得られたアドレス情報信号ＤADの同期パターンを検出して、ミニディスク１００の回転速度が所望の速度となるようにディスク駆動信号ＳSPaを生成してスピンドルモータ部２１に供給し、ミニディスク１００の回転速度を制御する。また、後述する信号処理部３０によって読出データ信号ＲＥから検出したフレーム同期信号に基づき、ミニディスク１００の回転速度が所望の速度となるようにディスク駆動信号ＳSPbが生成されてスピンドルモータ部２１に供給されるため、ウオーブルが形成されていない再生専用のミニディスクでも、所望の速度でミニディスク１００を回転させることができる。
【００１８】
信号処理部３０では、ＲＦアンプ部２４から供給された読出データ信号ＲＥに対して、ＥＦＭ(Eight to Fourteen Modulation)のデコード処理やＣＩＲＣ(Cross Interleaved Reed Solomon Code)のデコード処理を行う。このデコード処理を行って得られた圧縮データ信号ＲＤは、メモリコントローラ３１を介して耐震用メモリ３２に供給される。耐震用メモリ３２は、書き換え可能な例えばダイナミックＲＡＭ等を用いて構成し、供給された圧縮データ信号ＲＤを一時保持する。また、耐震用メモリ３２でのデータ信号の書き込み位置や読み出し位置は、メモリコントローラ３１で管理する。
【００１９】
さらに、信号処理部３０では、上述したようにディスク駆動信号ＳSPbを生成してスピンドルモータ部２１に供給すると共に、読出データ信号ＲＥに基づいて得られた付加情報をワークメモリ４１に供給する。
【００２０】
耐震用メモリ３２に保持されている圧縮データ信号ＲＤは、メモリコントローラ３１によって順次読み出されて圧縮伸長処理部３３に供給される。圧縮伸長処理部３３では、ＡＴＲＡＣ(Adaptive Transform Acoustic Coding)やＡＴＲＡＣ３のデコード処理を行って圧縮データ信号を復号化する。このデコード処理によって得られたデータ信号は音声データ信号ＤoutとしてＤ／Ａ変換部３４に供給される。Ｄ／Ａ変換部３４では、音声データ信号Ｄoutをアナログの音声出力信号Ｓoutに変換して出力する。
【００２１】
また、ミニディスク装置に供給されたアナログの音声入力信号Ｓinは、Ａ／Ｄ変換器３５よってディジタルの音声データ信号Ｄinに変換されて圧縮伸長処理部３３に供給される。
【００２２】
圧縮伸長処理部３３では、Ａ／Ｄ変換器３５から供給された音声データ信号Ｄinに対して、ＡＴＲＡＣやＡＴＲＡＣ３のエンコード処理を行い、音声データ信号Ｄinを符号化する。このエンコード処理によって得られたデータ信号は圧縮データ信号ＷＤとしてメモリコントローラ３１に供給される。
【００２３】
メモリコントローラ３１では、圧縮伸長処理部３３から供給された圧縮データ信号ＷＤを耐震用メモリ３２に順次記憶させる。また耐震用メモリ３２に一時保持された圧縮データ信号ＷＤを読み出して信号処理部３０に供給する。
【００２４】
信号処理部３０では、メモリコントローラ３１から供給された圧縮データ信号ＷＤに対してＣＩＲＣのエンコード処理やＥＦＭのエンコード処理を行う。このエンコード処理を行って得られた信号は、記録データ信号ＷＳとして記録アンプ３８に供給される。
【００２５】
記録アンプ３８では、供給された記録データ信号ＷＳを増幅して記録用の磁気ヘッド２２に供給し、記録データ信号ＷＳに応じた磁界を磁気ヘッド２２で発生させる。また、このとき、サーボ制御部２５からのレーザ制御信号ＣＰによって光ピックアップ部２３から所定のパワーのレーザ光がミニディスク１００に照射されて、ミニディスク１００には、磁気ヘッド２２で発生された磁界に応じたマークが形成されて信号の記録が行われる。
【００２６】
また、ミニディスク１００のリードイン領域やユーザＴＯＣ領域に記録されている種々の付加情報が読み出されたときには、この読み出された付加情報が、上述したように信号処理部３０から動作制御部４０に接続されたワークメモリ４１に供給されて保持される。
【００２７】
動作制御部４０はマイクロコンピュータを用いて構成されており、この動作制御部４０には、上述のワークメモリ４１やミニディスク装置の動作等を切り替えるための操作部４２および表示部４３が接続されている。動作制御部４０では、ワークメモリ４１に保持されている種々の情報やデコーダ部２８からのアドレス情報信号ＤADおよび操作部４２からの操作信号ＰＳに基づき動作制御信号ＣＴを生成して、この動作制御信号ＣＴによってサーボ制御部２５や信号処理部３０及びメモリコントローラ３１等の動作を制御することにより、ミニディスク１００への信号の記録や記録された信号の再生及び記録された信号の編集処理を行う。
また、動作制御部４０では、記録動作や編集処理に応じて、ワークメモリ４１に保持されている情報の変更等も行う。
【００２８】
さらに、動作制御部４０には表示部４３が接続されており、動作制御部４０からの表示制御信号ＰＤによってミニディスク装置の動作状態や、ミニディスクに記録されている種々の情報等が表示部４３に表示される。
【００２９】
図２は、ミニディスク装置で用いるミニディスク１００の構成を示すものであり、ミニディスク１００の中央には、ディスクを保持するためのクランピングプレート１００aが設けられている。ミニディスク１００のレーザ光照射面側の最内周にはリードイン領域１００bが形成されており、記録再生可能なディスクでは、記録時のレーザ光の出力や後述するユーザＴＯＣ領域およびプログラム領域のアドレスなどのＴＯＣ(Table of Contents)情報が付加情報として記録される。リードイン領域１００bの外周側には、ユーザＴＯＣ領域１００cが形成されており、このユーザＴＯＣ領域１００cには、ミニディスクのタイトルやプログラム領域１００dに記録された楽曲等に関する情報、トラック毎の信号記録位置等を示す情報等が付加情報として記録可能とされている。
【００３０】
ユーザＴＯＣ領域１００cの外周側にはプログラム領域１００dが形成されて、このプログラム領域１００dに楽曲の信号が記録される。さらに、プログラム領域１００dの外周側にはリードアウト領域１００eが形成される。なお、再生専用のミニディスクでは、リードイン領域の外周側にプログラム領域が設けられる。
【００３１】
ここで、ユーザＴＯＣ領域１００cのセクタ０には、ミニディスクのトラック毎のスタートアドレスとエンドアドレス、このトラックの信号が連続した領域に記録されていなくとも次の信号記録位置を判別して連続再生を可能とするリンク情報がトラック番号毎に記録される。また、ミニディスクの空き領域のアドレス情報も記録される。このため、選択されたトラック番号のスタートアドレスとエンドアドレスに基づいて、この選択されたトラック番号の楽曲を再生することが可能となる。また、空き領域のアドレス情報を利用して、新たな楽曲を空き領域に記録することができる。さらに、セクタ０の情報を書き換えて、トラック番号とスタートアドレスやエンドアドレスの関係を変更することで、プログラム領域１００dに記録されている楽曲の信号記録位置を変更しなくとも、楽曲の分離や結合，削除，移動の編集処理を行うことができる。
【００３２】
セクタ１及び／又はセクタ４（以下単に「セクタ１」という）は、ディスクネーム領域とトラックネーム領域を有しており、ディスクネーム領域にはディスクのタイトルと共にグループ管理情報も記録される。また、トラックネーム領域には、記録した楽曲のタイトルや演奏者名等がトラック番号に関係付けで記録される。さらに、セクタ２には、各楽曲の記録日時が記録される。
【００３３】
グループ管理情報は、記録されている楽曲の選択を容易とするために、記録された楽曲をグループ分けして管理するための情報である。このグループ分けは、楽曲の選択が容易となるようにユーザーが行うものであり、例えば記録された楽曲をジャンル毎にグループ分けしたり、演奏者毎にグループ分けする。このグループ管理情報は、グループ名とグループに含まれる楽曲を示す情報から構成される。
【００３４】
図３は、楽曲とグループ管理情報との関係を説明するための図である。ここで、ミニディスクのタイトルが「ＤＮｓ」とされており、図３Ａに示すように、楽曲名「Ｐ１」〜「Ｐ１２」の楽曲がトラック番号「１」〜「１２」として記録されている場合、グループ化を行っていないときのセクタ１の情報は、図３Ｂに示すようにディスクネーム領域にディスクのタイトル「ＤＮｓ」が記録されると共に、トラックネーム領域には、楽曲名「Ｐ１」〜「Ｐ１２」がトラック番号に関連付けて記録される。
【００３５】
また、図３Ａに示すように、トラック番号「１」〜「４」をグループ化してグループ名「ＧＮａ」とし、トラック番号「５」〜「９」をグループ化してグループ名「ＧＮｂ」とする。さらに、トラック番号「１０」〜「１２」をグループ化してグループ名「ＧＮｃ」とする場合、図３Ｃに示すように、このグループ名とトラック番号の関係を示すグループ管理情報がディスクネーム領域に記録される。
【００３６】
ここで、ミニディスク装置では、ディスクネーム領域にグループ管理情報が記録されているか否かに基づいて動作モードの選択を行い、ミニディスクに応じた動作を行う。
【００３７】
図４は、ミニディスク装置の動作を示すフローチャートである。ミニディスク装置にミニディスク１００が装着されると、あるいはミニディスク装置の動作が開始されると、ステップＳＴ１では付加情報の読み出し処理、すなわちリードイン領域やユーザＴＯＣ領域の付加情報を読み出すと共にワークメモリ４１に保持させてステップＳＴ２に進む。
【００３８】
ステップＳＴ２では、ディスクネーム領域の情報にグループ管理情報が含まれているか否かを検出する。ここで、図３Ｃに示すようにグループ管理情報が含まれていたときにはステップＳＴ３に進み、含まれていないときにはステップＳＴ４で動作モードを非グループモードに設定する。
【００３９】
ステップＳＴ３では、グループ管理情報において、トラックが登録されているグループすなわちトラック番号が示されているグループがあるか否かを判別する。ここで、単にグループ名だけが設定されており、グループに属するトラック番号が示されていないグループだけのときには、グループ管理情報に基づいて楽曲をグループ化できないことからステップＳＴ４に進み、動作モードを非グループモードに設定する。また、図３Ｃで示すようにトラック番号が示されたグループが設けられているときには、ステップＳＴ５に進み、動作モードをグループモードに設定する。
【００４０】
このように、トラックが登録されているグループを有したグループ管理情報が付加情報として記録されているか否かによって、動作モードがグループモードあるいは非グループモードに自動的に切り換えられるので、ユーザーが操作部４２を操作して動作モードを設定しなくとも、簡単にミニディスクに応じた動作モードを設定することができる。
【００４１】
ここで、動作モードが非グループモードに設定されたときには、従来のミニディスク装置と同様に、トラック番号を利用して信号の再生動作等を行う。また、動作モードがグループモードに設定されたときには、グループ管理情報で示されたグループ単位で信号の再生動作等を行う。
【００４３】
図５はグループモードでの動作を示すフローチャートである。ステップＳＴ１１では、ワークメモリ４１に保持されているグループ管理情報によって示されたグループに対して、グループ番号を割り当ててステップＳＴ１２に進み、ステップＳＴ１２ではグループ内番号の設定を行う。例えば、図３Ａに示すようにグループ化されているときには、グループ「ＧＮａ」がグループ番号「Ｇ１」とされると共に、グループ「ＧＮｂ」「ＧＮｃ」がグループ番号「Ｇ２」「Ｇ３」とされる。また、グループ「ＧＮｂ」のトラック番号「５」〜「９」の楽曲は、グループ内におけるトラック番号（以下「グループ内番号」という）「Ｔ１」〜「Ｔ５」となる。同様に、グループ「ＧＮｃ」のトラック番号「１０」〜「１２」の楽曲は、グループ内番号「Ｔ１」〜「Ｔ３」となる。
【００４４】
ステップＳＴ１３では、楽曲の再生順序を指定したプログラム再生を行うか否かを判別する。ここで、操作部４２によってプログラム再生が選択されたときには、ステップＳＴ１４に進む。また、プログラム再生が選択されず、楽曲をトラック番号順に再生する通常再生とされたときには、図６のステップＳＴ３１に進む。
【００４５】
ステップＳＴ１４では、グループ指定処理を行う。このグループ指定処理では、例えばグループ管理情報で示されているグループ名を表示部４３に表示して、いずれのグループに属する楽曲の再生を行うか、ユーザーに対してグループの選択を促す。ここで、操作部４２が操作されてグループが指定されるとステップＳＴ１４からステップＳＴ１５に進む。
【００４６】
ステップＳＴ１５では、指定されたグループにトラックが登録されているか否かを判別する。ここで、グループ内にトラックが登録されていないときにはステップＳＴ１４に戻り、再度グループ指定処理を行う。また、グループにトラックが登録されているときにはステップＳＴ１６に進む。
【００４７】
ステップＳＴ１６では、指定されたグループのグループ内番号を用いて再生順序をプログラムしてステップＳＴ１７に進み、プログラムされた順序で楽曲の再生を開始する。
【００４８】
ステップＳＴ１８ではプログラム再生動作中に、グループモードでの動作を解除する操作が行われたか否かを判別し、解除操作が行われていないときにはステップＳＴ１９に進み、解除操作が行われるとステップＳＴ２５に進む。
【００４９】
ステップＳＴ１９では、再生する曲を次の楽曲に移動するスキップ操作が行われたか否かを判別する。ここで、スキップ操作が行われていないときにはステップＳＴ２０に進み、スキップ操作が行われるとステップＳＴ２１に進む。
【００５０】
ステップＳＴ２０では、再生中の楽曲が終了したか否かを判別し、終了していないときにはステップＳＴ１８に戻り、再生動作を継続すると共に再生動作中にグループモードの解除操作やスキップ操作が行われたか否かを判別する。また、再生終了したときにはステップＳＴ２１に進む。
【００５１】
ステップＳＴ２１では、プログラムされた楽曲の再生を全て完了したか否かを判別する。ここで、再生されていない楽曲が残っているときには、ステップＳＴ２２に進み、次のプログラム曲の再生を開始してステップＳＴ１８に戻る。また、プログラムされた楽曲の再生が全て完了したときにはステップＳＴ２３に進み、ミニディスク装置でのディスク再生動作を停止させてステップＳＴ２４に進む。
【００５２】
ステップＳＴ２４では、操作部４２の所定の操作キー、例えばスキップ操作キーや数字入力キーが操作されて新たなグループの指定が行われたか否かを判別する。ここで、再生動作中にスキップ操作キーを操作したときには、上述したように次の楽曲の再生を行わせるものとし、再生動作の停止中にスキップ操作キーを操作したときには例えば次のグループを新たなグループとして指定してステップＳＴ１５に戻る。あるいは数字入力キーによって新たなグループ番号が指定されたときにステップＳＴ１５に戻る。また、新たなグループの指定が行われないときにはグループモードでの動作を終了させる。なお、図では示していないが、スキップ操作キーを操作して前の再生曲や前のグループに戻すこともできることは勿論である。
【００５３】
また、ステップＳＴ１８でグループモードでの動作の解除操作が行われたと判別されてステップＳＴ２５に進むと、ステップＳＴ２５では、プログラム内容消去すなわちプログラムされた楽曲の再生順序情報を消去してステップＳＴ２６に進み、ステップＳＴ２６では動作を非グループモードでの動作に切り換える。このため、グループモードでの再生順序情報が非グループモードでの動作で用いられてしまうことを防止できる。
【００５４】
図６は、グループモードでの動作に於ける通常再生処理を示すフローチャートである。図５のステップＳＴ１３でプログラム再生が選択されないときには、通常再生を行うものとして図６のステップＳＴ３１に進む。
【００５５】
ステップＳＴ３１では、ステップＳＴ１４と同様にグループ指定処理を行う。
このグループ指定処理によってグループが指定されるとステップＳＴ３１からステップＳＴ３２に進む。
【００５６】
ステップＳＴ３２では、指定されたグループにトラックが登録されているか否かを判別する。ここで、グループにトラックが登録されていないときにはステップＳＴ３３に進む。また、グループにトラックが登録されているときにはステップＳＴ３４に進む。
【００５７】
ステップＳＴ３３では、指定されたグループにトラックが登録されていないことから、トラックが登録されているグループを自動的に選択して、この選択したグループを指定されたグループとして設定したのちステップＳＴ３４に進む。例えば、図３に示すように、トラックが登録されていないグループ「ＧＮｄ」は最後のグループとするように規定されている場合、グループ「ＧＮｄ」が指定されたときには、このグループに代えて直前のグループ「ＧＮｃ」あるいは先頭のグループ「ＧＮａ」を指定されたグループとして自動的に設定する。なお、指定されたグループにトラックが登録されておらず、異なるグループが指定されたグループとして設定されたときには、表示部４３にその旨を表示するものとして、指定されたグループが自動的に変更されても判別可能とされる。
【００５８】
ステップＳＴ３４では、指定されたグループのグループ内番号順に楽曲の再生を開始してステップＳＴ３５に進む。
【００５９】
ステップＳＴ３５では通常再生動作中に、グループモードでの動作を解除する操作が行われたか否かを判別し、解除操作が行われていないときにはステップＳＴ３６に進み、解除操作が行われるとステップＳＴ４２に進む。
【００６０】
ステップＳＴ３６では、スキップ操作が行われたか否かを判別し、スキップ操作が行われていないときにはステップＳＴ３７に進み、スキップ操作が行われるとステップＳＴ３８に進む。
【００６１】
ステップＳＴ３７では、再生中の楽曲が終了したか否かを判別し、終了していないときにはステップＳＴ３５に戻り、再生動作を継続すると共に再生動作中にグループモードの解除操作やスキップ操作が行われたか否かを判別する。また、再生終了したときにはステップＳＴ３８に進む。
【００６２】
ステップＳＴ３８では、グループ内の楽曲の再生を全て完了したか否かを判別する。ここで、再生が行われていない楽曲が残っているときには、ステップＳＴ３９に進み、次のグループ内番号の楽曲再生を開始してステップＳＴ３５に戻る。また、グループ内の楽曲の再生が全て完了したときにはステップＳＴ４０に進み、ミニディスク装置でのディスク再生動作を停止させてステップＳＴ４１に進む。
【００６３】
ステップＳＴ４１では、操作部４２が操作されて新たなグループの指定が行われたか否かを判別して、新たなグループの指定が行われたときにはステップＳＴ３２に戻る。また、新たなグループの指定が行われないときにはグループモードでの動作を終了させる。
【００６４】
また、ステップＳＴ３５でグループモードでの動作の解除操作が行われたと判別されてステップＳＴ４２に進むと、ステップＳＴ４２では動作を非グループモードでの動作に切り換える。
【００６５】
以上のように、グループモードでの動作では、指定されたグループに登録されているトラック番号のみが再生可能となるので、ミニディスクに多くの楽曲が記録されていても、例えばグループ分けが演奏者毎に行われている場合には、グループを指定することで所望の演奏者の楽曲のみを簡単に選択することができる。
またグループモードでのプログラム再生によって、所望の演奏者の楽曲のみを所望の順序で再生させることも簡単に行うことができる。また、コンパクトディスクに記録された楽曲をミニディスクにダビングした場合には、コンパクトディスク毎にグループ化を行うことで、ミニディスクに複数のコンパクトディスクの楽曲を記録しても、１つのコンパクトディスクを再生する場合と同様な再生動作を行わせることもできる。
【００６６】
次に、非グループモードでの動作では、従来のミニディスク装置と同様に、グループ管理情報を用いることなくトラック番号順の再生やプログラム再生が行われる。図７および図８は非グループモードの動作を示すフローチャートである。
【００６７】
ステップＳＴ５１では、楽曲の再生順序を指定したプログラム再生を行うか否かを判別する。ここで、操作部４２によってプログラム再生が選択されたときには、ステップＳＴ５２に進む。また、プログラム再生が選択されず、楽曲をトラック番号順に再生する通常再生とされたときには、図８のステップＳＴ７１に進む。
【００６８】
ステップＳＴ５２では、トラック番号を用いて再生順序をプログラムしてステップＳＴ５３に進み、プロクラムされた順序で楽曲の再生を開始する。
【００６９】
ステップＳＴ５４ではプログラム再生動作中に、非グループモードでの動作を解除する操作が行われたか否かを判別し、解除操作が行われていないときにはステップＳＴ５５に進み、解除操作が行われるとステップＳＴ６０に進む。
【００７０】
ステップＳＴ５５では、再生する曲を次の楽曲に移動するスキップ操作が行われたか否かを判別する。ここで、スキップ操作が行われていないときにはステップＳＴ５６に進み、スキップ操作が行われるとステップＳＴ５７に進む。
【００７１】
ステップＳＴ５６では、再生中の楽曲が終了したか否かを判別し、終了していないときにはステップＳＴ５４に戻り、再生動作を継続すると共に再生動作中に非グループモードの解除操作やスキップ操作が行われたか否かを判別する。また、再生終了したときにはステップＳＴ５７に進む。
【００７２】
ステップＳＴ５７では、プログラムされた楽曲の再生を全て完了したか否かを判別する。ここで、再生が行われていない楽曲が残っているときには、ステップＳＴ５８に進み、次のプログラム曲の再生を開始してステップＳＴ５４に戻る。
また、プログラムされた楽曲の再生が全て完了したときにはステップＳＴ５９に進み、ミニディスク装置でのディスク再生動作を停止させて非グループモードでの動作を終了する。
【００７３】
ステップＳＴ５４でグループモードでの動作の解除操作が行われたと判別されてステップＳＴ６０に進むと、ステップＳＴ６０では、グループモードから移行して非グループモードの動作が行われているか否かを判別する。ここで、図４に示すモード選択動作によって非グループモードとされているときには、グループモードでの動作を行うことができないことからステップＳＴ５５に進み、解除操作を無効とする。また、グループモードから移行して非グループモードの動作が行われているときには、グループモードでの動作を行うことができることからステップＳＴ６１に進む。
【００７４】
ステップＳＴ６１ではプログラム内容消去すなわちプログラムされた楽曲の再生順序情報を消去してステップＳＴ６２に進み、ステップＳＴ６２では動作をグループモードでの動作に切り換える。このため、非グループモードでの再生順序情報がグループモードでの動作で用いられてしまうことを防止できる。
【００７５】
ステップＳＴ５１でプログラム再生が選択されないときには、通常再生を行うものとして図８のステップＳＴ７１に進む。
【００７６】
ステップＳＴ７１では、トラック番号順に楽曲の再生を開始してステップＳＴ７２に進む。
【００７７】
ステップＳＴ７２では通常再生動作中に、非グループモードでの動作を解除する操作が行われたか否かを判別し、解除操作が行われていないときにはステップＳＴ７３に進み、解除操作が行われるとステップＳＴ７８に進む。
【００７８】
ステップＳＴ７３では、スキップ操作が行われたか否かを判別し、スキップ操作が行われていないときにはステップＳＴ７４に進み、スキップ操作が行われるとステップＳＴ７５に進む。
【００７９】
ステップＳＴ７４では、再生中の楽曲が終了したか否かを判別し、終了していないときにはステップＳＴ７２に戻り、再生動作を継続すると共に再生動作中に非グループモードの解除操作やスキップ操作が行われたか否かを判別する。また、再生終了したときにはステップＳＴ７５に進む。
【００８０】
ステップＳＴ７５では、全ての楽曲の再生を完了したか否かを判別する。ここで、再生が行われていない楽曲が残っているときには、ステップＳＴ７６に進み、次のトラック番号の楽曲再生を開始してステップＳＴ７２に戻る。また、全ての楽曲の再生が完了したときにはステップＳＴ７７に進み、ミニディスク装置でのディスク再生動作を停止させて、非グループモードでの動作を終了させる。
【００８１】
ステップＳＴ７２で非グループモードでの動作の解除操作が行われたと判別されてステップＳＴ７８に進むと、ステップＳＴ７８では、ステップＳＴ６０と同様に、グループモードから移行して非グループモードの動作が行われているか否かを判別する。ここで、グループモードからの移行でないときにはステップＳＴ７３に進み、解除操作を無効とする。また、グループモードからの移行であるときにはステップＳＴ７９に進み、動作をグループモードでの動作に切り換える。
【００８２】
また、上述のステップＳＴ２６やステップＳＴ４２で、グループモードでの動作が解除されて非グループモードの動作に移行する場合には、図８のステップＳＴ７２に進み、再生中の楽曲に続けてトラック番号順に再生動作を行う。さらに、ステップＳＴ６２やステップＳＴ７９でグループモードに戻す場合には、再生中の楽曲のグループ内番号とグループ番号を判別してから図６のステップＳＴ３５に進み、再生中の楽曲に続けて、この再生中の楽曲が登録されているグループのグループ内番号順に再生動作を行う。このため、動作モードの切り換えを行っても、それぞれの動作モードに応じた順序で正しく楽曲を再生できる。
【００８３】
このように上述の実施の形態によれば、付加情報にグループ管理情報が含まれていると判別されたとき、ミニディスクに記録された楽曲の再生動作として、指定されたグループ内での再生順序を曲単位で切り換え可能とするプログラム再生動作モードが設けられる。このため、グループ内の楽曲のみを所望の順序で再生することが可能となり、グループ管理情報が記録されているミニディスクに応じた再生動作を行うことができる。なお、上述の実施の形態ではミニディスク装置を用いてミニディスクに楽曲を記録する場合について説明したが、コンテンツ信号と上述のような付加情報が記録されている記録媒体であれば、記録媒体はミニディスクに限られるものではない。またコンテンツ信号もオーディオコンテンツの信号に限られるものではなく、ビデオコンテンツの信号等であっても良いことは勿論である。
【００８４】
【発明の効果】
この発明によれば、付加情報にグループ管理情報が含まれていると判別されたとき、記録媒体に記録されたコンテンツ信号の再生動作として、指定されたグループ内での再生順序をトラック単位で切り換え可能とするプログラム再生動作モードが設けられる。このため、グループ内のコンテンツ信号のみを所望のトラック順序で再生することが可能となり、グループ管理情報が記録されているミニディスクに応じた再生動作を行うことができる。
【図面の簡単な説明】
【図１】ミニディスク装置の構成を示す図である。
【図２】ミニディスクの領域構成を示す図である。
【図３】曲のグループ化とグループ管理情報を説明するための図である。
【図４】モード選択動作を示すフローチャートである。
【図５】グループモードの動作(1/2)を示すフローチャートである。
【図６】グループモードの動作(2/2)を示すフローチャートである。
【図７】非グループモードの動作(1/2)を示すフローチャートである。
【図８】非グループモードの動作(2/2)を示すフローチャートである。
【符号の説明】
２１  スピンドルモータ部
２２  磁気ヘッド
２３  光ピックアップ部
２４  ＲＦアンプ部
２５  サーボ制御部
２６  ドライバ
２７  スレッドモータ部
３０  信号処理部
３１  メモリコントローラ
３２  耐震用メモリ部
３３  圧縮伸長処理部
３４  Ｄ／Ａ変換部
３５  Ａ／Ｄ変換器
３８  記録アンプ
４０  動作制御部
４１  ワークメモリ
４２  操作部
４３  表示部
１００  ミニディスク
【図１】
0004586283.tif 000002
【図２】
0004586283.tif 000003
【図３】
0004586283.tif 000004
【図４】
0004586283.tif 000005
【図５】
0004586283.tif 000006
【図６】
0004586283.tif 000007
【図７】
0004586283.tif 000008
【図８】
0004586283.tif 000009